(57)【要約】【課題】打設した生コンクリートが長期にわたって形状を維持できるワイヤメッシュ支持ブロックと、その製作型枠を提供する。【解決手段】ワイヤメッシュＭを床面上で支持するためのブロック１であって、コンクリート製であり、底面２と側面３と天面４とを有する立方体であり、側面３は底面２から天面４に向って小さくなるテーパ状に形成され、天面４にはワイヤメッシュＭを係合させる溝５が形成されている。ワイヤメッシュＭを床面上で支持するためのブロックを製作する型枠１０は、複数個の反転型１１が設けられており、各反転型１１は、側壁１２と底壁１３とから構成されて上面は開口しており、側壁１２は開口部から底壁１３に向って小さくなるテーパ状に形成され、底壁１３には、ワイヤメッシュＭを係合させる溝５を形成するための突条１４が形成されている。【選択図】図１
0003121966.tif 000002
【実用新案登録請求の範囲】
【請求項１】
ワイヤメッシュを床面上で支持するためのブロックであって、
コンクリート製であり、
底面と側面と天面とを有する立方体であり、
前記側面は底面から天面に向って小さくなるテーパ状に形成され、
前記天面にはワイヤメッシュを係合させる溝が形成されている
ことを特徴とするワイヤメッシュ支持ブロック。
【請求項２】
前記溝が、平面視で＋形である
ことを特徴とする請求項１記載のワイヤメッシュ支持ブロック。
【請求項３】
前記溝が、平面視で−形である
ことを特徴とする請求項１記載のワイヤメッシュ支持ブロック。
【請求項４】
ワイヤメッシュを床面上で支持するためのブロックを製作する型枠であって、
複数個の反転型が設けられており、
各反転型は、側壁と底壁とから構成されて上面は開口しており、
前記側壁は開口部から底壁に向って小さくなるテーパ状に形成され、
前記底壁には、ワイヤメッシュを係合させる溝を形成するための突条が形成されている
ことを特徴とするワイヤメッシュ支持ブロックの製作型枠。
【考案の詳細な説明】
【技術分野】
【０００１】
本考案は、ワイヤメッシュ支持ブロックおよび、その製作型枠に関する。さらに詳しくは、コンクリートを打設する際にその芯材となる鉄筋を用いるが、その鉄筋は複数本を縦横に組合せて網目状に構成したものが用いられる。この網目状の鉄筋をワイヤメッシュというが、このワイヤメッシュを床面上に置いただけでは打設したコンクリートの芯材とならないので、床面上に数cmから数１０cm位持ち上げておく必要がある。この持ち上げに支持ブロックを用いるが、本発明はこの支持ブロックと、その製作型枠に関する。
【背景技術】
【０００２】
従来の支持ブロックとしては、プラスチック製のものがある。
このプラスチック製の支持ブロックは、ワイヤメッシュを支持した状態のままで、コンクリートを打設すると、コンクリートの中に埋設したままとなる。しかし、プラスチックは経年変化があって、数年ないし１０数年すると、プラスチック製支持ブロックは形崩れして、打設したコンクリート床が湾曲したり陥没する等の不具合が生ずる。
【０００３】
一方、建築現場でコンクリートを打設する際は、コンクリート車が生コンクリートを運搬してきて打設したうえで帰っていくが、余った生コンクリートは改めて産業廃棄物として処理しなければならない。しかし、現状では、産業廃棄物は廃棄場所が無かったり、費用が高い等の不具合が多い。
そこで、余った生コンクリートを廃棄するのではなく、有効活用することが望まれている。
【０００４】
上記のプラスチック製支持ブロックについては、各メーカー等のカタログに記載はあるが、特許文献では見当らない。
【考案の開示】
【考案が解決しようとする課題】
【０００５】
本考案は上記事情に鑑み、打設したコンクリートが長期にわたって形状を維持できる支持ブロックを提供することを目的とする。また、本考案は、生コンクリートを廃棄しないで有効活用できるようにしたワイヤメッシュ支持ブロックの製作型枠を提供することを目的とする。
【課題を解決するための手段】
【０００６】
第１考案のワイヤメッシュ支持ブロックは、ワイヤメッシュを床面上で支持するためのブロックであって、コンクリート製であり、底面と側面と天面とを有する立方体であり、前記側面は底面から天面に向って小さくなるテーパ状に形成され、前記天面にはワイヤメッシュを係合させる溝が形成されていることを特徴とする。
第２考案のワイヤメッシュ支持ブロックは、第１発明において、前記溝が、平面視で＋形であることを特徴とする。
第３考案のワイヤメッシュ支持ブロックは、第１発明において、前記溝が、平面視で−形であることを特徴とする。
第４考案のワイヤメッシュ支持ブロックの製作型枠は、ワイヤメッシュを床面上で支持するためのブロックを製作する型枠であって、複数個の反転型が設けられており、各反転型は、側壁と底壁とから構成されて上面は開口しており、前記側壁は開口部から底壁に向って小さくなるテーパ状に形成され、前記底壁には、ワイヤメッシュを係合させる溝を形成するための突条が形成されていることを特徴とする。
【考案の効果】
【０００７】
第１考案によれば、支持ブロックはコンクリート製であるので、経年変化による形崩れが生じず、打設したコンクリートとの親和性も高いので、コンクリート床等が長期間たっても湾曲したり陥没したりすることはない。
第２考案によれば、溝が十文字に交差しているので、ワイヤメッシュの交差部分の支持に適し、生コンクリートの打設中にも支持ブロックが押し流されることがない。
第３考案によれば、溝が一文字に延びているので、ワイヤメッシュの側端などでの支持に適しており、かつ設置作業中における支持ブロックの位置変更なども容易にできる。
第４考案によれば、製作型枠の各反転型は請求項１の支持ブロックの型をなしているので、余った生コンクリートを流し込み、硬化した頃に取り出せば天面に溝の付いた支持ブロックを簡単に作ることができる。よって、生コンクリートの廃棄量を減らすことができる。
【考案を実施するための最良の形態】
【０００８】
つぎに、本考案の実施形態を図面に基づき説明する。
（第１実施形態の支持ブロックと製作型枠）
図１は本考案の一実施形態に係る支持ブロックの斜視図である。
【０００９】
図１において１は支持ブロックであって、後述するワイヤメッシュＭを床面上で支持するためのブロックである。この支持ブロック１は生コンクリートを後述する製作型枠１０に入れて製造したコンクリート製である点に特徴がある。
【００１０】
本実施形態の支持ブロック１は、底面２と側面３と天面４とを有する立方体であり、前記側面３は底面２から天面４に向って小さくなるテーパ状に形成されている。図示の例は４面の側面３を有する角錐体であるが、角錐体に限らず三角錐でもよく、円錐であってもよい。また、前記天面４にはワイヤメッシュＭを係合させる溝５が形成されている。そして、本実施形態では、前記溝５が、平面視で＋（プラス）形となっている。
【００１１】
つぎに、上記実施形態の支持ブロックの製作型枠を説明する。
図２は本考案の一実施形態に係る製作型枠の断面図である。図３は同製作型枠の一部拡大斜視図である。
本実施形態の型枠１０はワイヤメッシュＭを床面上で支持するための前記ブロック１を製作する型枠である。この型枠１０は、複数個の反転型１１が設けられた型枠であって、反転型１１の数は任意である。したがって、１列で数個から数１０個の範囲、あるいは２列以上であってもよいが、運搬や取り扱い等の便からは余り大きいのは好ましくない。
型枠１０の素材も特に制限はなく、金属、木材、プラスチックなどを使用できるが、耐久性や生コンクリート注入時の安定性の面からは金属製が好ましい。
【００１２】
各反転型１１は、側壁１２と底壁１３とから構成されて上面は開口しており、前記側壁１２は開口部から底壁１３に向って小さくなるテーパ状に形成されている。そして、前記底壁１３には、ワイヤメッシュＭを係合させる溝５を形成するための突条１４が形成されている。この突条１４は２本の突条が交差した＋（プラス）形のものである。
【００１３】
本実施形態の型枠１０を用いる場合は、コンクリート打設現場で、余った生コンクリートをコンクリート車から注入する。そして、硬化した時を見図って、型枠１０を上下反転させ、型枠１０の底をハンマー等で叩いて衝撃を与えれば、反転型１１の形状に固まったコンクリート製の支持ブロック１が落下して、多数の支持ブロック１を製造することができる。
【００１４】
（第２実施形態の支持ブロックと製作型枠）
つぎに、第２実施形態の支持ブロックと、その製作型枠を説明する。
図４は本考案の他の実施形態に係る支持ブロックの斜視図である。
図４に示す支持ブロック１は、前記溝５が、平面視で−（マイナス）形となっているものである。その余の点は、図１の支持ブロック１と実質的に変えるところはない。また、製作型枠１０も、底壁１３に形成された突条１４が−（マイナス）形となっている点に特徴があり、その余の点は図２〜図３の型枠１０と実質同一である。
【００１５】
図６は本考案の支持ブロックの使用状態説明図である。
図６において、Ｍはワイヤメッシュで、これは鉄筋ｂを縦横に組合わせて網目とした芯材である。
コンクリートを床面上に打設する場合は、このワイヤメッシュＭを床面から数cmから１０数cm位の高さに支持するため、支持ブロック１が用いられる。
【００１６】
図１および図４の支持ブロックによれば、コンクリート製であるので、経年変化による形崩れが生じず、打設したコンクリートとの親和性も高いので、コンクリート床等が長期間たっても湾曲したり陥没したりすることはない。
図１の支持ブロック１によれば、溝５が十文字に交差しているので、ワイヤメッシュＷの交差部分の支持に適し、生コンクリートの打設中にも支持ブロック１が押し流されることがない。
図４の支持ブロック１によれば、溝５が一文字に延びているので、ワイヤメッシュＷの側端などでの支持に適しており、かつ設置作業中における支持ブロック１の位置変更なども容易にできる。
上記各実施形態の型枠１０によれば、各反転型１１が支持ブロック１の形をなしているので、余った生コンクリートを流し込み、硬化した頃に取り出せば天面に溝５の付いた支持ブロック１を簡単に作ることができる。よって、生コンクリートの廃棄量を減らしながら、有効活用することができる。
【図面の簡単な説明】
【００１７】
【図１】本考案の一実施形態に係る支持ブロックの斜視図である。
【図２】本考案の一実施形態に係る製作型枠の断面図である。
【図３】同製作型枠の一部拡大斜視図である。
【図４】本考案の他の実施形態に係る支持ブロックの斜視図である。
【図５】本考案の他の実施形態に係る製作型枠の一部拡大斜視図である。
【図６】本考案の支持ブロックの使用状態説明図である。
【符号の説明】
【００１８】
１    支持ブロック
５    溝
１０    型枠
１１    反転型
１４    突条
【図１】
0003121966.tif 000003
【図２】
0003121966.tif 000004
【図３】
0003121966.tif 000005
【図４】
0003121966.tif 000006
【図５】
0003121966.tif 000007
【図６】
0003121966.tif 000008